(57)【要約】【課題】本発明は、駆動部により偏心カムを回転させて引っ張りばねを縮める際に偏心カムの先回りが抑制される定着装置の提供を目的とする。【解決手段】定着装置は、媒体を加熱する加熱体６１と、媒体Ｓを加圧する加圧体６２と、加熱体６１を回転可能に支持する側板６３と、側板６３に揺動可能に支持され、加圧体６２を回転可能に支持する第１支持体６４と、側板６３に揺動可能に支持される第２支持体６５と、第１支持体６４を第２支持体６５側に引っ張る引っ張りばねＥＳと、第２支持体６５に接触する偏心カム６６であって、回転して第２支持体６５の姿勢を変更させ引っ張りばねＥＳを伸縮させる偏心カム６６と、偏心カム６６にトルクを伝達する歯車列及び歯車列を駆動させる駆動源を有する駆動部とを備え、引っ張りばねＥＳが縮むにつれて偏心カム６６の回転負荷が大きくなる構成とされている。【選択図】図８
2018049107.tif 000002
【特許請求の範囲】
【請求項１】
回転してトナー像が形成された媒体を加熱する加熱体と、
前記加熱体とでニップを形成し、回転して前記ニップを通過する前記媒体を加圧する加圧体と、
前記加熱体及び前記加圧体の一方を回転可能に支持する側板と、
前記側板に揺動可能に支持され、前記一方に対する他方を回転可能に支持する第１支持体と、
前記側板に揺動可能に支持される第２支持体と、
両端側で前記第１支持体と前記第２支持体とに繋がれ、前記第１支持体を前記第２支持体側に引っ張る引っ張りばねと、
前記側板における前記第１支持体と前記第２支持体との間の位置に回転可能に支持され、前記第２支持体に接触する偏心カムであって、回転して前記第２支持体の姿勢を変更させ前記引っ張りばねを伸縮させる偏心カムと、
前記偏心カムに連結されて前記偏心カムを回転させるトルクを前記偏心カムに伝達する歯車列及び前記歯車列を駆動させる駆動源を有する駆動部と、
を備え、
前記第２支持体と前記偏心カムとは、前記引っ張りばねが縮むにつれて前記偏心カムの回転負荷が大きくなる構成とされている、
定着装置。
【請求項２】
前記偏心カムには、周方向に亘り幅が徐々に大きくなる外周面が形成され、
前記第２支持体は、前記外周面に接触するコロ、前記コロを挟んだ状態で前記偏心カムに接触する一対のフランジ及び前記一対のフランジを前記偏心カムに押付ける圧縮ばねを有し、
前記引っ張りばねが縮むにつれて、前記偏心カムが前記一対のフランジに押付けられながら前記外周面における前記コロに接触する部分の幅が大きくなる方向に回転することで、前記第２支持体と前記偏心カムとは前記構成とされている、
請求項１に記載の定着装置。
【請求項３】
媒体にトナー像を形成する形成部と、
請求項１又は２に記載の定着装置と、
を備えた画像形成装置。
【発明の詳細な説明】
【技術分野】
【０００１】
本発明は、定着装置及び画像形成装置に関する。
【背景技術】
【０００２】
例えば、定着フィルムと、加圧ローラーと、定着フィルムと加圧ローラーとの圧接状態を解除する加圧解除手段とを備えた定着装置が知られている（特許文献１参照）。この加圧解除手段は、駆動手段により回転駆動する駆動部材と、駆動部材の回転軸に回転可能とされ、駆動部材に対して回転方向に所定の遊びを持って従動し、定着フィルムと加圧ローラーとの圧接状態を解除するカム面を有する従動部材（偏心カム）と、駆動部材と従動部材との回転方向の所定の遊びを制御する緩衝部材とを有している。また、従動部材は、駆動部材と緩衝部材とを回転方向に所定の遊びを持って収容する空隙を有している。
【先行技術文献】
【特許文献】
【０００３】
【特許文献１】特開２０１４−４８５９７号公報
【発明の概要】
【発明が解決しようとする課題】
【０００４】
上記定着装置は、従動部材の先回りに伴い発生する衝撃音を低減させることは可能であるが、従動部材の先回りを抑制することができない。
【０００５】
本発明は、駆動部により偏心カムを回転させて引っ張りばねを縮める際に偏心カムの先回りが抑制される定着装置の提供を目的とする。
【課題を解決するための手段】
【０００６】
本発明の第１の定着装置は、回転してトナー像が形成された媒体を加熱する加熱体と、前記加熱体とでニップを形成し、回転して前記ニップを通過する前記媒体を加圧する加圧体と、前記加熱体及び前記加圧体の一方を回転可能に支持する側板と、前記側板に揺動可能に支持され、前記一方に対する他方を回転可能に支持する第１支持体と、前記側板に揺動可能に支持される第２支持体と、両端側で前記第１支持体と前記第２支持体とに繋がれ、前記第１支持体を前記第２支持体側に引っ張る引っ張りばねと、前記側板における前記第１支持体と前記第２支持体との間の位置に回転可能に支持され、前記第２支持体に接触する偏心カムであって、回転して前記第２支持体の姿勢を変更させ前記引っ張りばねを伸縮させる偏心カムと、前記偏心カムに連結されて前記偏心カムを回転させるトルクを前記偏心カムに伝達する歯車列及び前記歯車列を駆動させる駆動源を有する駆動部と、を備え、前記第２支持体と前記偏心カムとは、前記引っ張りばねが縮むにつれて前記偏心カムの回転負荷が大きくなる構成とされている。
【０００７】
本発明の第２の定着装置は、前記第１の定着装置であって、前記偏心カムには、周方向に亘り幅が徐々に大きくなる外周面が形成され、前記第２支持体は、前記外周面に接触するコロ、前記コロを挟んだ状態で前記偏心カムに接触する一対のフランジ及び前記一対のフランジを前記偏心カムに押付ける圧縮ばねを有し、前記引っ張りばねが縮むにつれて、前記偏心カムが前記一対のフランジに押付けられながら前記外周面における前記コロに接触する部分の幅が大きくなる方向に回転することで、前記第２支持体と前記偏心カムとは前記構成とされている。
【０００８】
本発明の画像形成装置は、媒体にトナー像を形成する形成部と、前記第１又は前記第２の定着装置と、を備えている。
【発明の効果】
【０００９】
本発明の定着装置によれば、駆動部により偏心カムを回転させて引っ張りばねを縮める際に偏心カムの先回りが抑制される。
【図面の簡単な説明】
【００１０】
【図１】本発明を実施するための形態（以下、本実施形態という。）の画像形成装置を正面側から見た概略図（正面図）である。
【図２】本実施形態の画像形成装置により画像形成動作を行う場合に、本実施形態の定着装置を構成する加熱ローラーと加圧ローラーとの接触圧を変更するための動作（以下、接触圧の変更動作という。）の制御フロー図である。
【図３】本実施形態の定着装置の斜視図である。
【図４】本実施形態の定着装置の図であって、図３の場合と異なる方向から見た斜視図である。
【図５】本実施形態の定着装置の図であって、ハウジングを外した状態（ハウジングを除いた状態）の定着装置の斜視図である。
【図６】本実施形態の定着装置の部分断面図であって、通常モード時の縦断面図である。
【図７】本実施形態の定着装置の部分断面図であって、特別モード時の縦断面図である。
【図８】本実施形態の定着装置の偏心カム及びその周辺部分の図であって、通常モード時の斜視図である。
【図９】本実施形態の定着装置を構成する第３支持体の斜視図である。
【図１０】本実施形態の定着装置を構成する偏心カムの斜視図である。
【図１１】本実施形態の偏心カムの図であって、軸方向と直交する方向から見た図（側面図）である。
【図１２Ａ】本実施形態の第３支持体及び偏心カムが通常モード時に接触している状態を示す図であって、装置高さ方向下側から見た図である。
【図１２Ｂ】本実施形態の第３支持体及び偏心カムが通常モード時に接触している状態を示す図であって、正面側（装置奥行き方向手前側）から見た図である。
【図１２Ｃ】本実施形態の第３支持体及び偏心カムを、図１２Ｂにおける１２Ｃ−１２Ｃ切断線で切断した断面図である。
【図１３Ａ】本実施形態の第３支持体及び偏心カムが特別モード時に接触している状態を示す図であって、装置高さ方向下側から見た図である。
【図１３Ｂ】本実施形態の第３支持体及び偏心カムが特別モード時に接触している状態を示す図であって、正面側（装置奥行き方向手前側）から見た図である。
【図１３Ｃ】本実施形態の第３支持体及び偏心カムを、図１３Ｂにおける１３Ｃ−１３Ｃ切断線で切断した断面図である。
【図１４】本実施形態の画像形成装置を構成する制御部と、定着装置を構成する各構成要素との関係を示すブロック図である。
【図１５】比較形態の定着装置の一部の斜視図である。
【図１６】変形例の定着装置を構成する偏心カムを説明するための図である。
【発明を実施するための形態】
【００１１】
≪概要≫
以下、本実施形態の画像形成装置１０（図１参照）の全体構成及び画像形成装置１０による画像形成動作、本実施形態の要部である定着装置６０（図３〜図８参照）の構成及び定着装置６０の接触圧の変更動作並びに本実施形態の効果について、図面を参照しつつこれらの記載順で説明する。
【００１２】
以下の説明では、図中における矢印Ｆｒ及び矢印Ｒｒで示す方向をそれぞれ装置奥行き方向手前側及び奥側、矢印Ｒ及び矢印Ｌで示す方向をそれぞれ装置幅方向右側及び左側、矢印Ｕ及び矢印Ｌｏで示す方向をそれぞれ装置高さ方向上側及び下側とする。また、本明細書では、画像形成装置１０を装置奥行き方向手前側から見た状態を画像形成装置１０の正面として説明する。
【００１３】
≪画像形成装置の全体構成≫
画像形成装置１０は、図１に示されるように、給紙カセット２０と、トナー像形成部３０と、転写装置４０と、搬送装置５０と、定着装置６０と、制御部ＣＵと、を含んで構成される電子写真方式の装置とされている。
【００１４】
給紙カセット２０は、いわゆる普通紙、封筒その他の媒体Ｓを収容する機能を有する。給紙カセット２０は、装置高さ方向における、画像形成装置１０内の下側に配置されている。なお、給紙カセット２０は、一例として、第１給紙カセット２０Ａと、第２給紙カセット２０Ｂとで構成されている。第１給紙カセット２０Ａは普通紙を収容し、第２給紙カセット２０Ｂは封筒等その他の厚紙（普通紙よりも厚い紙）を収容するようになっている。また、第１給紙カセット２０Ａに普通紙が収容されていること及び第２給紙カセット２０Ｂに厚紙が収容されていること（以下、収容情報という。）は、作業者が画像形成装置１０に備えられたユーザーインターフェイスＵＩ（図１４参照）から入力することで、後述する制御部ＣＵに含まれる記憶部ＲＡＭ（図１４参照）に記憶されるようになっている。
【００１５】
トナー像形成部３０は、帯電、露光、現像の各工程を行って、後述するベルトＴＢが保持するトナー像を形成する機能を有する。トナー像形成部３０は、それぞれ異なる色（Ｙ（イエロー）、Ｍ（マゼンタ）、Ｃ（シアン）、Ｋ（ブラック））のトナー像を形成する単色ユニット３１Ｙ、３１Ｍ、３１Ｃ、３１Ｋで構成されている。各単色ユニット３１Ｙ、３１Ｍ、３１Ｃ、３１Ｋは、それぞれ、感光体３２と、帯電装置３４と、露光装置３６と、現像装置３８とを備えている。なお、図１では、単色ユニット３１Ｙ以外の単色ユニット３１Ｍ、３１Ｃ、３１Ｋの符号が省略されている。また、トナー像形成部３０は、装置高さ方向における、画像形成装置１０内の中央に配置されている。
【００１６】
転写装置４０は、無端状のベルトＴＢを有し、（図１における矢印Ａ方向に）周回するベルトＴＢに、トナー像形成部３０により形成されたトナー像を１次転写させて、ベルトＴＢに保持されたトナー像を媒体Ｓに２次転写させる機能を有する。転写装置４０は、装置高さ方向における、画像形成装置１０内の中央であって、トナー像形成部３０の上側に配置されている。
【００１７】
搬送装置５０は、給紙カセット２０に収容されている媒体Ｓを搬送経路（図１中の二点差線Ｐ）に沿って搬送する機能を有する。なお、図１における矢印Ｙは、媒体Ｓの搬送方向を意味する。
【００１８】
定着装置６０は、転写装置４０により媒体Ｓに２次転写されたトナー像を媒体Ｓに定着させる機能を有する。定着装置６０は、装置高さ方向における、転写装置４０の上側、かつ、画像形成装置１０を正面側から見て右側に配置されている。定着装置６０の詳細については後述する。
【００１９】
制御部ＣＵは、画像形成装置１０を構成する各部を制御する機能を有する（後述する図２及び図１４参照）。制御部ＣＵの機能については、後述する画像形成動作及び定着装置６０の接触圧の変更動作の説明の中で説明する。
【００２０】
以上、画像形成装置１０の各構成要素について説明したが、トナー像形成部３０と転写装置４０との組み合わせ３０Ａ（形成部の一例）は、媒体Ｓにトナー像を形成する機能を有するといえる。
【００２１】
≪画像形成動作≫
次に、本実施形態の画像形成装置１０による画像形成動作について図１及び図２を参照しながら説明する。
【００２２】
外部装置（図示省略）から画像データ及び画像形成対象とされる媒体Ｓのデータ等を含むジョブデータを受け取った制御部ＣＵは、画像形成装置１０の各部を作動させる。
【００２３】
ここで、制御部ＣＵは、図２に示される制御フローに従い、判断ステップＳ１０において、画像形成対象とされる媒体Ｓが普通紙であるか否かを判断する。その結果、制御部ＣＵが肯定判断をすると、制御部ＣＵは、ステップＳ２０で通常モードを選択し、画像形成装置１０に第１給紙カセット２０Ａに収容されている普通紙を用いた画像形成動作を行わせる。これに対して、制御部ＣＵが判断ステップＳ１０で否定判断を行うと、制御部ＣＵは、ステップＳ２０で特別モードを選択し、画像形成装置１０に第２給紙カセット２０Ｂに収容されている封筒を用いた画像形成動作を行わせる。
【００２４】
そして、トナー像形成部３０が作動されると、各単色ユニット３１Ｙ、３１Ｍ、３１Ｃ、３１Ｋでは、帯電装置３４が感光体３２を帯電し、露光装置３６が感光体３２を露光し、現像装置３８が感光体３２の潜像をトナー像として現像する。その結果、各感光体３２にトナー像が形成される。
【００２５】
次いで、転写装置４０及び搬送装置５０が作動されると、トナー像形成部３０により形成されたトナー像がベルトＴＢに１次転写される。また、ベルトＴＢに１次転写されたトナー像が２次転写されるタイミングに合わせて、搬送装置５０により給紙カセット２０に収容されている媒体Ｓが搬送されて、ベルトＴＢに保持されたトナー像が媒体Ｓに２次転写される。トナー像が２次転写された媒体Ｓは、搬送装置５０により定着装置６０に向けて搬送される。
【００２６】
次いで、定着装置６０が作動され、トナー像が２次転写された媒体Ｓが定着装置６０に搬送されると、媒体Ｓに２次転写されたトナー像が媒体Ｓに定着される（媒体Ｓに画像が形成される）。なお、通常モードと特別モードとでは、加熱ローラー６１と加圧ローラー６２との接触圧が異なるが、詳細については定着装置６０の接触圧の変更動作の説明の中で説明する。
【００２７】
そして、トナー像が定着された媒体Ｓ（画像が形成された媒体Ｓ）は、搬送装置５０により画像形成装置１０の外に排出されて、画像形成動作が終了する。
【００２８】
≪要部（定着装置）の構成≫
次に、本実施形態の要部である定着装置６０の構成について図３〜図１３Ｃを参照しながら詳しく説明する。
【００２９】
定着装置６０は、図３〜図８に示されるように、ハウジングＨＧと、加熱ローラー６１（加熱体の一例）と、熱源ＨＴと、加圧ローラー６２（加圧体の一例）と、側板６３と、第１支持体６４と、コイルばねＣＳと、第２支持体６５と、引っ張りばねＥＳと、偏心カム６６と、シャフト６７と、駆動部６８とを含んで構成されている。ハウジングＨＧ、加熱ローラー６１、熱源ＨＴ、加圧ローラー６２及びシャフト６７は、それぞれ長尺とされており、互いの長手方向を装置奥行き方向に沿わせた状態で配置されている。また、定着装置６０は、長尺とされており、その長手方向を装置奥行き方向に沿わせた状態で、画像形成装置１０の本体に取り付けられている（図１参照）。なお、側板６３、第１支持体６４及び第２支持体６５は、それぞれ定着装置６０の長手方向の両端側に対をなしている（それぞれ一対とされている）。
【００３０】
＜ハウジング＞
ハウジングＨＧは、定着装置６０を構成するハウジングＨＧ以外の構成要素を、その内部に収容する機能を有する。ハウジングＨＧは、画像形成装置１０を正面側から見ると、一例として矩形状とされている。そして、ハウジングＨＧの下側には、搬送装置５０により搬送経路Ｐを搬送される媒体Ｓが入る入口ＨＧ１が形成されている。また、ハウジングＨＧの上側には、搬送装置５０により搬送経路Ｐを搬送される媒体Ｓが定着装置６０から出る出口ＨＧ２が形成されている。
【００３１】
＜加熱ローラー及び熱源＞
加熱ローラー６１は、トナー像形成部３０により媒体Ｓに形成されたトナー像（を構成するトナー）及び媒体Ｓを加熱する機能を有する。加熱ローラー６１は、図６及び図７に示されるように、金属パイプの外周がゴムで被覆されているゴムローラーとされている。加熱ローラー６１は、正面側から見て、定着装置６０の中央（ハウジングＨＧ内における中央）に配置されている。加熱ローラー６１は、後述する熱源ＨＴにより定められた温度に加熱されながら、後述する加圧ローラー６２に従動して回転されるようになっている。そして、加熱ローラー６１は、搬送装置５０により搬送されるトナー像が形成された媒体Ｓを、後述するニップＮにおいて加圧ローラー６２とで加圧するようになっている。その結果、加熱ローラー６１は、軸周りに回転しながら（正面側から見ると反時計回りに回転して）トナー像が形成された媒体Ｓに接触して媒体Ｓを加熱し、加圧ローラー６２とでニップＮを通過する媒体Ｓにトナー像を定着させるようになっている。
【００３２】
熱源ＨＴは、一例としてハロゲンランプとされている。熱源ＨＴは、図６及び図７に示されるように、加熱ローラー６１内に配置されている。
【００３３】
なお、加熱ローラー６１の両端の部分には、フランジ（図示省略）が嵌め込まれて固定されている。そして、各フランジは、後述する一対の側板６３に回転可能に支持されている。
【００３４】
＜加圧ローラー＞
加圧ローラー６２は、トナー像形成部３０により媒体Ｓに形成されたトナー像（を構成するトナー）及び媒体Ｓを、加熱ローラー６１とともに加圧する機能を有する。加圧ローラー６２は、金属シャフトの外周がゴムで被覆されているゴムローラーとされている。加圧ローラー６２は、図６及び図７に示されるように、正面側から見て、加熱ローラー６１の右側に配置されている。また、加圧ローラー６２は、加熱ローラー６１に接触している。ここで、前述のニップＮとは、加圧ローラー６２と加熱ローラー６１とにより形成される、加圧ローラー６２と加熱ローラー６１との接触部分を意味する。
【００３５】
加圧ローラー６２の金属シャフトの一端には、駆動源（図示省略）が連結されている。そして、加圧ローラー６２は、駆動源により駆動され、軸周りに回転して（正面側から見ると時計回りに回転して）、加熱ローラー６１を回転させるようになっている。
【００３６】
＜側板＞
側板６３は、図５及び図８に示されるように、加熱ローラー６１を軸周りに回転可能に支持する機能を有する。なお、前述のとおり、側板６３には、貫通穴が形成されており、当該貫通穴に加熱ローラー６１の両端側に固定されているフランジが嵌め込まれている。
【００３７】
＜第１支持体及びコイルばね＞
第１支持体６４は、加圧ローラー６２を軸周りに回転可能に支持する機能を有する。第１支持体６４は、図６〜図８に示されるように、長尺な板金とされている。そして、第１支持体６４は、ニップＮを挟んで、加熱ローラー６１の反対側に配置されている。第１支持体６４は、その一端側（上側）が側板６３の貫通穴にピンで揺動可能に支持されている。また、第１支持体６４の他端側（下側）には、突起が形成されている。そして、第１支持体６４は、当該突起と側板６３の突起とに圧縮されて嵌め込まれているコイルばねＣＳに押されている。その結果、第１支持体６４に支持されている加圧ローラー６２は、加熱ローラー６１に接触してニップＮを形成している（図６〜図８参照）。なお、各第１支持体６４は、それぞれ、一対の側板６３の内側(一対の側板６３同士が向き合う側)に配置されている。
【００３８】
＜第２支持体＞
第２支持体６５は、図６及び図７に示されるように、ニップＮ（又は加熱ローラー６１）を挟んで、加圧ローラー６２の反対側であって、加圧ローラー６２よりも下側に配置されている。第２支持体６５は、ケース７０と、第１ピン７１と、第２ピン７２と、コロ７３と、一対のフランジ７４と、一対の圧縮ばね７５とを含んで構成されている。
【００３９】
〔ケース及び第１ピン〕
ケース７０は、図６〜図９に示されるように、長尺で縦断面がＵ字状の部材とされている。ケース７０の長手方向の一端側及び中央側には、その対向壁を貫通する貫通穴が形成されている。そして、ケース７０（第２支持体）は、その長手方向の一端側の貫通穴に第１ピン７１が嵌め込まれ、かつ、側板６３に形成されている貫通穴に第１ピン７１が嵌め込まれることで、側板６３に揺動可能に支持されている。なお、各ケース７０は、それぞれ、一対の側板６３の内側(一対の側板６３同士が向き合う側)に配置されている。また、ケース７０の対向壁を繋ぐ壁における長手方向の中央には、当該壁の厚み方向から見て矩形状の貫通穴７０Ａが形成されている。
【００４０】
〔第２ピン、コロ、一対のフランジ及び一対の圧縮ばね〕
第２ピン７２は、図８及び図９に示されるように、ケース７０の長手方向の中央に形成されている貫通穴に嵌め込まれて、ケース７０の対向壁同士を繋いだ状態で固定されている。また、第２ピン７２の外周には、その長手方向の中央から両端側（対向壁側）に亘って、コロ７３、一対のフランジ７４及び一対の圧縮ばね７５がこれらの記載順で嵌められている。コロ７３は、後述する偏心カム６６に接触するようになっている。コロ７３は、図６、図７及び図９に示されるように、その一部が貫通穴７０Ａからケース７０の外側にはみ出している。一対のフランジ７４は、中央に貫通穴が形成されている円板とされ、コロ７３を挟んだ状態でコロ７３の全縁よりもはみ出している。一対の圧縮ばね７５は、コイルばねとされ、それぞれ、各フランジ７４と、ケース７０の各側壁との間に圧縮された状態で配置されている。その結果、一対の圧縮ばね７５は、コロ７３側に、各フランジ７４を押している。
【００４１】
＜引っ張りばね＞
引っ張りばねＥＳは、第１支持体６４の下側（揺動のための支点側と反対側）の貫通穴が形成されている部分と、ケース７０の下側（第１ピン７１が嵌め込まれて、揺動のための支点側と反対側）の貫通穴が形成されている部分とに引っ掛けられている。別言すると、引っ張りばねＥＳは、その両端側で第１支持体６４と第２支持体６５とに繋がれている。そして、引っ張りばねＥＳは、図６及び図８に示されるように、後述する偏心カム６６が第２支持体６５のコロ７３に接触してコロ７３を押している状態で、自然長よりも伸びている。すなわち、引っ張りばねＥＳは、第１支持体６４を第２支持体６５側に引っ張るようになっている。
【００４２】
＜偏心カム及びシャフト＞
偏心カム６６は、軸周りに回転して第２支持体６５を揺動させる機能を有する。別言すると、偏心カム６６は、軸周りに回転して第２支持体６５の姿勢を変更させ、引っ張りばねＥＳを伸縮させる機能を有する。偏心カム６６は、シャフト６７の外周に嵌め込まれて、シャフト６７の両端側の外周に固定されている。シャフト６７は、図５及び図８に示されるように、一対の側板６３に形成されている貫通穴に嵌め込まれ、軸周りに回転可能とされている。そして、各偏心カム６６は、図６〜図８に示されるように、各側板６３における第１支持体６４と第２支持体６５との間の位置でシャフト６７に支持された状態で、その外周面８０を各第２支持体６５のコロ７３に接触させている。
【００４３】
偏心カム６６は、図６、図７及び図１０に示されるように、その回転方向に直交する方向（シャフト６７の軸方向に相当）から見て、楕円を短軸で切断したような半楕円状の部材とされている。すなわち、偏心カム６６は、その回転方向に直交する方向から見て、線対称の部材とされ、外周面８０のうち対称軸と重なる部分及びその近傍（対称軸から±５°）の部分は、偏心カム６６の回転軸からの距離が一定とされている。以下の説明では、外周面８０のうち対称軸と重なる部分及びその近傍（対称軸から±５°）の部分を、第１面８２という。これに対して、外周面８０のうち第１面８２の端から対称軸に対してそれぞれ±９０°までの部分を、それぞれ第２面８４という。各第２面８４は、第１面８２との境界（第１面８２側の端）から反対側の端に亘って偏心カム６６の回転軸からの距離が徐々に短くなるように構成されている。なお、以下の説明では、図６及び図８に示されるように、偏心カム６６が第１面８２でコロ７３に接触している状態を、偏心カム６６の初期位置とする。
【００４４】
偏心カム６６の外周面８０のうち、第１面８２と、２つの第２面８４のうち偏心カム６６が初期位置に位置している状態での上側の第２面８４（以下、第２面８４Ａ）は、その幅（回転軸方向の長さを意味する）がコロ７３の幅よりも狭く、一定とされている。これに対して、図１０及び図１１に示されるように、２つの第２面８４のうち偏心カム６６が初期位置に位置している状態での下側の第２面８４（以下、第２面８４Ｂ）は、第１面８２との境界（第１面８２側の端）から反対側の端に亘って、その幅が徐々に大きくなるように構成されている。
【００４５】
なお、本実施形態では、シャフト６７が後述する駆動部６８により軸周りに回転されることで、偏心カム６６が回転する。この場合、シャフト６７は、偏心カム６６が初期位置に位置している状態を基準（０°）として、正面側から見て、時計回りに最大４５°回転されて停止するように設定されている。そして、シャフト６７が回転して偏心カム６６の第２面８４Ｂがコロ７３に接触している状態では、偏心カム６６は、各圧縮ばね７５により一対のフランジ７４に押付けられるようになっている。その結果、偏心カム６６が基準（０°）から正面側から見て時計周りに４５°の位置まで回転するに従い、ケース７０の下端側の部分が引っ張りばねＥＳにより引っ張られて（引っ張りばねＥＳが縮んで）、第２支持体６５は、その姿勢を変更するようになっている（図７参照）。この場合、すなわち、引っ張りばねＥＳが縮むにつれて、偏心カム６６が一対のフランジ７４に押付けられながら第２面８４Ｂにおけるコロ７３に接触する部分の幅が徐々に大きくなる方向に回転することで、偏心カム６６の回転負荷が徐々に大きくなる構成とされている（図１２Ａ〜Ｃ及び図１３Ａ〜Ｃ参照）。別言すれば、本実施形態では、偏心カム６６が回転して引っ張りばねＥＳが縮むにつれて、偏心カム６６にはより大きなブレーキがかかる構成とされている。
【００４６】
＜駆動部＞
駆動部６８は、偏心カム６６が固定されているシャフト６７を軸周りに回転させる機能を有する。駆動部６８は、駆動源９０と、歯車列９２とを含んで構成されている（図１及び図３参照）。
【００４７】
駆動源９０は、歯車列９２を駆動させる機能を有する。駆動源９０は、一例としてモーターとされている。歯車列９２は、複数の歯車の集合体とされている。歯車列９２は、シャフト６７の一端側に固定されている歯車（図示省略）に連結されている。そして、歯車列９２は、駆動源９０により駆動されてシャフト６７を軸周りに回転させるようになっている。別言すれば、歯車列９２は、シャフト６７及びシャフト６７の歯車を介して偏心カム６６に連結されて偏心カム６６を軸周りに回転させるトルクを偏心カム６６に伝達する機能を有するといえる。
【００４８】
≪定着装置の接触圧の変更動作≫
次に、定着装置６０の接触圧の変更動作について図２、図６、図７及び図１４を参照しながら説明する。なお、定着装置６０の動作は、前述の画像形成装置１０による画像形成動作の中で行われる。なお、定着装置６０の偏心カム６６の姿勢は、画像形成動作（定着動作）を行っていない期間では前述の初期位置（図６、図８及び図１２Ａ〜Ｃ参照）に位置している。
【００４９】
外部装置（図示省略）からジョブデータを受け取った制御部ＣＵは、定着装置６０の各部にリモート信号を送る（図１４参照）。そして、制御部ＣＵは、加圧ローラー６２の駆動源（図示省略）を駆動させて加圧ローラー６２を軸周りに定められた回転速度で回転させる。これに伴い、加熱ローラー６１が加圧ローラー６２に従動されて定められた周回速度で周回する。また、加熱ローラー６１を加熱するための熱源ＨＴを作動させる。
【００５０】
また、制御部ＣＵは、図２に示される制御フローに従い、判断ステップＳ１０において、画像形成対象とされる媒体Ｓが普通紙であるか否かを判断する。そして、制御部ＣＵが肯定判断をすると（すなわち、媒体Ｓが普通紙であると判断すると）、制御部ＣＵは、ステップＳ２０で通常モードを選択して定着動作を行う。
【００５１】
これに対して、制御部ＣＵは、判断ステップＳ１０において、否定判断をすると（すなわち、媒体Ｓが封筒であると判断すると）、制御部ＣＵは、ステップＳ３０で特別モードを選択する。この場合、制御部ＣＵは、駆動部６８により偏心カム６６を、初期位置を基準に正面側から見て時計回りに４５°回転させてから（図７参照）、定着装置６０に定着動作を行わせる。
【００５２】
そして、制御部ＣＵは、通常モードで定着動作を行う場合には、すべての要素の作動を停止させて、定着動作を終了する。また、制御部ＣＵは、特別モードで定着動作を行う場合には、駆動部６８により偏心カム６６の姿勢を初期位置（図６、図８、図１２Ａ〜Ｃ参照）に変更した後に、駆動部６８以外のすべての要素の作動を停止させて定着動作を終了する。
【００５３】
≪効果≫
次に、本実施形態の効果について図面を参照しながら説明する。
【００５４】
例えば、図１５に示される比較形態の定着装置６０Ａの場合、偏心カム６６Ａはその外周面の幅が一定であり、コロ７３の両側に一対のフランジ７４がない。そして、比較形態の定着装置６０Ａを用いて封筒に定着動作を行う場合、定着装置６０Ａは、接触圧の変更動作を行う。この場合、定着装置６０Ａでは、駆動部６８により偏心カム６６Ａを回転させて引っ張りばねＥＳを縮めるが、引っ張りばねＥＳが第１支持体６４により引っ張られ、駆動部６８の歯車列９２に存在する回転方向のガタ分（バックラッシ分）、偏心カム６６Ａが先回りする虞がある。そして、偏心カム６６Ａが先回りすると、これに伴う衝撃音が発生する。
【００５５】
これに対して、本実施形態の定着装置６０は、比較形態の定着装置６０Ａと異なり、第２支持体６５と偏心カム６６とが、引っ張りばねＥＳが縮むにつれて偏心カム６６の回転負荷が大きくなる構成とされている（図８、図９、図１０、図１２Ａ〜Ｃ及び図１３Ａ〜Ｃ参照）。
【００５６】
したがって、本実施形態の定着装置６０は、駆動部６８により偏心カム６６を回転させて引っ張りばねＥＳを縮める際に偏心カム６６が先回りし難い（偏心カム６６の先回りが抑制される）。これに伴い、本実施形態の画像形成装置１０は、特別モードで画像形成動作を行う場合（封筒に画像形成を行う場合）に偏心カム６６の先回りに伴う衝撃音が発生し難い（又は発生しても衝撃音の音圧が小さい）。
【００５７】
また、本実施形態の定着装置６０は、第２支持体６５と偏心カム６６とが、引っ張りばねＥＳが縮むにつれて偏心カム６６の回転負荷が大きくなる構成を、図８、図９、図１０、図１２Ａ〜Ｃ及び図１３Ａ〜Ｃに示される簡単な構成で実現している。
【００５８】
したがって、本実施形態の定着装置６０は、簡単な機械的な構成により、偏心カム６６の先回りをし難くすることができる（偏心カム６６の先回りを抑制することができる）。
【００５９】
以上のとおり、本発明について本実施形態を例として説明したが、本発明の技術的範囲は本実施形態に限定されるものではない。例えば、本発明の技術的範囲には、下記のような形態も含まれる。
【００６０】
例えば、本実施形態の定着装置６０では、加熱ローラー６１が側板６３に支持され、加圧ローラー６２が第１支持体６４に支持されているとして説明した。しかしながら、その逆でもよい。
【００６１】
また、本実施形態の定着装置６０では、加熱体の一例が加熱ローラー６１あるとして説明した。しかしながら、加熱体の一例は無端ベルトでもよい。
【００６２】
また、本実施形態の定着装置６０では、偏心カム６６の第２面８４Ｂは径方向側に突出している周面であるとして説明した。しかしながら、図１６の変形例の偏心カム６６Ａのように、特別モード時に偏心カム６６Ａがコロ７３に接触する部分にコロ７３の外周が嵌る凹み面７４Ｃが形成されていてもよい。凹み面７４Ｃにより、偏心カム６６Ａのコロ７３に対する接触が安定してニップＮのニップ圧も安定させることができる点で有効である。
【符号の説明】
【００６３】
１０          画像形成装置
３０Ａ        組み合わせ（形成部の一例）
６０          定着装置
６１          加熱ローラー（加熱体の一例）
６２          加圧ローラー（加圧体の一例）
６３          側板
６４          第１支持体
６５          第２支持体
６６          偏心カム
６８          駆動部
７３          コロ
７４          フランジ
７５          圧縮ばね
８４Ｂ        外周面
９０          駆動源
９２          歯車列
ＥＳ          引っ張りばね
Ｎ            ニップ
Ｓ            媒体
【図１】
2018049107.tif 000003
【図２】
2018049107.tif 000004
【図３】
2018049107.tif 000005
【図４】
2018049107.tif 000006
【図５】
2018049107.tif 000007
【図６】
2018049107.tif 000008
【図７】
2018049107.tif 000009
【図８】
2018049107.tif 000010
【図９】
2018049107.tif 000011
【図１０】
2018049107.tif 000012
【図１１】
2018049107.tif 000013
【図１２Ａ】
2018049107.tif 000014
【図１２Ｂ】
2018049107.tif 000015
【図１２Ｃ】
2018049107.tif 000016
【図１３Ａ】
2018049107.tif 000017
【図１３Ｂ】
2018049107.tif 000018
【図１３Ｃ】
2018049107.tif 000019
【図１４】
2018049107.tif 000020
【図１５】
2018049107.tif 000021
【図１６】
2018049107.tif 000022